【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
車両に関する車両情報および車両の位置を表す位置情報を記憶する記憶装置を含む情報管理設備との無線通信が可能な外部装置に電気的に接続されるドライブレコーダにおいて、
記録媒体が着脱可能に構成されるドライブレコーダ本体と、
車両前方、車両後方および車室内の撮像対象の少なくともいずれか一つを撮像する撮像手段とを含み、
前記ドライブレコーダ本体は、
撮像手段によって撮像される撮像対象の画像を表す画像情報を記憶する記憶手段と、
情報管理設備から送信される信号であって、記録媒体に画像情報を記録させる指令を表す記録指令信号を、外部装置を介して受信したとき、
その記録指令信号に基づいて定まる所定期間にわたって、記憶手段に記憶される画像情報の少なくとも一部を、装着された記録媒体に記録させる制御手段とを有することを特徴とするドライブレコーダ。
【請求項２】
前記ドライブレコーダ本体は、車両情報を検出する車両情報検出手段をさらに含み、
記憶手段は、さらに車両情報検出手段によって検出される車両情報および外部装置によって検出される車両の位置情報を記憶し、
情報管理設備は、外部装置によって検出される車両の位置情報を受信可能に構成され、受信した車両の位置情報が表す車両の位置が、予め定める領域から外れていると判断すると、記憶手段に記憶される画像情報、車両情報および位置情報の少なくとも一部を記録媒体に記録させる指令を表す記録指令信号を外部装置に送信し、
制御手段は、前記記録指令信号を受信したとき、その記録指令信号に基づいて定まる所定期間にわたって、記憶手段に記憶される画像情報、車両情報および位置情報の少なくとも一部を、装着された記録媒体に記録させることを特徴とする請求項１記載のドライブレコーダ。
【請求項３】
車両情報検出手段は、車両の重力加速度を検出する加速度検出部を含み、
情報管理設備は、加速度検出部によって検出される車両の重力加速度を表す加速度情報を受信可能に構成され、受信した加速度情報が表す重力加速度が予め定める閾値以上であると判断すると、記憶手段に記憶される画像情報、車両情報および位置情報の少なくとも一部を記録媒体に記録させる指令を表す記録指令信号を外部装置に送信し、
制御手段は、前記記録指令信号を受信したとき、その記録指令信号に基づいて定まる所定期間にわたって、記憶手段に記憶される画像情報、車両情報および位置情報の少なくとも一部を、装着された記録媒体に記録させることを特徴とする請求項２記載のドライブレコーダ。
【請求項４】
車両情報検出手段は、車両の実車または空車を表す実空車情報を検出する実空車情報検出部を含み、
情報管理設備は、実空車情報検出部によって検出される実空車情報を受信可能に構成され、実空車情報を受信すると、記憶手段に記憶される画像情報、車両情報および位置情報の少なくとも一部を記録媒体に記録させる指令を表す記録指令信号を外部装置に送信し、
制御手段は、前記記録指令信号を受信したとき、その記録指令信号に基づいて定まる所定期間にわたって、記憶手段に記憶される画像情報、車両情報および位置情報の少なくとも一部を、装着された記録媒体に記録させることを特徴とする請求項２記載のドライブレコーダ。
【請求項５】
車室内の音声を入力する音声入力手段をさらに含み、
記憶手段は、さらに音声入力手段によって入力される音声を表す音声情報を記憶し、
情報管理設備は、前記実空車情報検出部によって検出される実空車情報を受信すると、記憶手段に記憶される画像情報、車両情報、位置情報および音声情報の少なくとも一部、または音声情報、車両情報および位置情報の少なくとも一部を記録媒体に記録させる指令を表す記録指令信号を外部装置に送信し、
制御手段は、前記記録指令信号を受信したとき、その記録指令信号に基づいて定まる所定期間にわたって、記憶手段に記憶される画像情報、車両情報、位置情報および音声情報の少なくとも一部、または音声情報、車両情報および位置情報の少なくとも一部を、装着された記録媒体に記録させることを特徴とする請求項４記載のドライブレコーダ。
【請求項６】
記録媒体が着脱可能に構成されるドライブレコーダ本体と、
車両前方、車両後方および車室内の撮像対象の少なくともいずれか一つを撮像する撮像手段とを含み、
前記ドライブレコーダ本体は、
車両情報および位置情報を検出する情報検出手段と、
情報管理設備と通信するための通信手段と、
撮像手段によって撮像される撮像対象の画像を表す画像情報、ならびに前記情報検出手段によって検出される車両情報および位置情報を記憶する記憶手段と、
情報管理設備から送信される信号であって、記録媒体に画像情報、車両情報および位置情報を記録させる指令を表す記録指令信号を、通信手段によって受信したとき、
その記録指令信号に基づいて定まる所定期間にわたって、記憶手段に記憶される画像情報、車両情報および位置情報の少なくとも一部を、装着された記録媒体に記録させるように制御する制御手段とを有することを特徴とするドライブレコーダ。
【請求項７】
車両情報検出手段は、車両の重力加速度を検出する加速度検出部を含み、
情報管理設備は、加速度検出部によって検出される車両の重力加速度を表す加速度情報を受信可能に構成され、受信した加速度情報が表す重力加速度が予め定める閾値以上であると判断すると、記憶手段に記憶される画像情報、車両情報および位置情報の少なくとも一部を記録媒体に記録させる指令を表す記録指令信号を外部装置に送信し、
制御手段は、前記記録指令信号を受信したとき、その記録指令信号に基づいて定まる所定期間にわたって、記憶手段に記憶される画像情報、車両情報および位置情報の少なくとも一部を、装着された記録媒体に記録させ、
情報管理設備は、記録媒体に記録されるべき前記記録指令信号に基づいて定まる所定期間の前後にわたる画像情報を、この情報管理設備に送信させる指令を表す送信指令信号を外部装置に送信し、
制御手段は、前記送信指令信号を受信したとき、前記記録指令信号に基づいて定まる所定期間にわたる画像情報を、外部装置を介して情報管理設備に送信させることを特徴とする請求項２記載のドライブレコーダ。
【請求項８】
記録媒体が着脱可能に構成されるドライブレコーダ本体と、
車両前方、車両後方および車室内の撮像対象の少なくともいずれか一つを撮像する撮像手段とを含み、
前記ドライブレコーダ本体は、
撮像手段によって撮像される撮像対象の画像を表す画像情報を記憶する記憶手段と、
車両に関する車両情報を管理する情報管理設備から送信される信号であって、記録媒体に画像情報を記録させる指令を表す記録指令信号を、外部装置を介して受信したとき、
その記録指令信号に基づいて定まる所定期間にわたって、記憶手段に記憶される画像情報の少なくとも一部を、装着された記録媒体に記録させる制御手段とを有することを特徴とするドライブレコーダ。
【手続補正２】
【補正対象書類名】明細書
【補正対象項目名】００２８
【補正方法】変更
【補正の内容】
【００２８】
情報管理設備は、記録媒体に記録されるべき前記記録指令信号に基づいて定まる所定期間にわたる画像情報を、この情報管理設備に送信させる指令を表す送信指令信号を外部装置に送信する。ドライブレコーダ本体が、情報管理設備から送信される送信指令信号を、外部装置を介して受信したとき、前記記録指令信号に基づいて定まる所定期間にわたる画像情報が、制御手段によって、外部装置を介して情報管理設備に送信される。
また本発明（８）に従えば、車両前方、車両後方および車室内の撮像対象の少なくともいずれか一つは、撮像手段によって撮像される。記憶手段には、撮像手段によって撮像される撮像対象の画像を表す画像情報が記憶される。車両に関する車両情報を管理する情報管理設備から送信される信号であって、記録媒体に画像情報を記録させる指令を表す記録指令信号を、ドライブレコーダ本体が外部装置を介して受信したとき、その記録指令信号に基づいて定まる所定期間にわたって、記憶手段に記憶される画像情報の少なくとも一部が、制御手段によって、装着された記録媒体に記録される。このようにドライブレコーダ本体は、情報管理設備から送信される記録指令信号に基づいて定まる所定期間にわたって、記憶手段に記憶される画像情報の少なくとも一部を、記録媒体に記録することができる。
【手続補正３】
【補正対象書類名】明細書
【補正対象項目名】００４０
【補正方法】変更
【補正の内容】
【００４０】
したがって情報管理設備の管理者は、取得した画像情報、具体的には車両前方、車両後方および車室内の撮像対象の少なくともいずれか一つを表す画像情報に基づいて、車両の運転状況などを分析し、乗務員の運転指導および運転評価を迅速かつ適確に行うことができる。
本発明（８）によれば、ドライブレコーダ本体は、情報管理設備から外部装置を介して送信される記録指令信号を受信し、その記録指令信号に基づいて定まる所定期間にわたる画像情報の少なくとも一部の情報、たとえば情報管理設備の管理者が乗務員の運転指導および運転評価を行うために所望するタイミングで取得された画像情報を、記録媒体に確実に記録させることができる。したがって情報管理設備の管理者は、記録媒体に記録された画像情報に基づいて車両の運転状況などを詳細に分析することができ、乗務員の運転指導および運転評価を適確に行うことができる。